(57)【要約】【課題】発光ダイオード照明灯の設置場所における照明方向の角度を最適な角度に調整することができる発光ダイオード照明灯を提供する。【解決手段】発光ダイオード照明灯１０において、管端閉鎖部材５は凹部６ａが形成され、この凹部６ａの内周面に複数の凹凸からなる雌型位置決め部６ｂが形成された固定部材６と、固定部材６の雌型位置決め部６ｂに係合する雄型位置決め部７ｂを有し、外部器具のソケットへ接続する２本の電極ピン７ｃが突設された端子部材７と、からなり、雌型位置決め部６ｂの凹凸および前記雄型位置決め部７ｂの凹凸を係合させて、電極ピン７ｃの角度位置を変えて位置決めすることを特徴とする。【選択図】図１
2010135131.tif 000002
【特許請求の範囲】
【請求項１】
直線状に配置された複数の発光ダイオード（１）と、前記直線状に配置された複数の発光ダイオード（１）が配置された基板（２）とからなるＬＥＤモジュール（３）と、前記ＬＥＤモジュール（３）を包囲する透光性管状カバー（４）と、前記透光性管状カバー（４）の両端開口部をそれぞれ閉鎖する管端閉鎖部材（５，５）と、からなる発光ダイオード照明灯（１０）において、
前記管端閉鎖部材（５，５）は、
凹部（６ａ）が形成され、当該凹部（６ａ）の内周面に複数の凹凸からなる雌型位置決め部（６ｂ）が形成された固定部材（６）と、
前記固定部材（６）の雌型位置決め部（６ｂ）に係合する雄型位置決め部（７ｂ）を有し、外部器具のソケットへ接続する２本の電極ピン（７ｃ）が突設された端子部材（７）と、からなり、
前記雌型位置決め部（６ｂ）の凹凸と前記雄型位置決め部（７ｂ）の凹凸を係合させて、前記電極ピン（７ｃ）の取り付け角度の位置を変えて位置決めすることを特徴とする発光ダイオード照明灯（１０）。
【請求項２】
前記雌型位置決め部（６ｂ）の凹凸および前記雄型位置決め部（７ｂ）の凹凸は、複数の山からなるセレーションから形成されていることを特徴とする請求項１に記載の発光ダイオード照明灯（１０）。
【請求項３】
前記ＬＥＤモジュール（３）の位置は、前記透光性管状カバー（４）の軸心位置からずらして配置され、前記固定部材（６）の雌型位置決め部（６ｂ）の中心位置も、前記ＬＥＤモジュール（３）側に偏心させたことを特徴とする請求項１または請求項２に記載の発光ダイオード照明灯（１０）。
【請求項４】
前記ＬＥＤモジュール（３）の前記基板（２）に前記直線状に配置された複数の発光ダイオード（１）が複数列配置され、そのうち、少なくとも外側の列の発光ダイオード（１）が、前記透光性管状カバー（４）の軸心方向へ向かって内側へ傾けて配置されたことを特徴とする請求項１、請求項２、または請求項３に記載の発光ダイオード照明灯（１０）。
【発明の詳細な説明】
【技術分野】
【０００１】
本発明は、複数の発光ダイオードを使用した発光ダイオード照明灯に関する。
【背景技術】
【０００２】
複数の発光ダイオード（ＬＥＤ：Light Emitting diode）を使用した発光ダイオード照明灯は、高効率の照明灯として知られている。発光ダイオード（ＬＥＤ）は、電流を流すと発光する半導体素子の一種で、その特徴は、蛍光灯と比較して消費電力の低さ（約２０〜５０％）と寿命の長さ（約４倍）にあり、また、水銀を使用していないため、環境にやさしいという特徴をもっている。
発光ダイオード照明灯は、従来の蛍光灯よりも省エネであるため、省エネ型の照明灯として、地球温暖化の原因とされる温暖化ガスの二酸化炭素（ＣＯ２）を削減する照明灯として見られており、公共施設や商店、コンビニエンスストアの看板や屋内外照明の光源に発光ダイオード照明灯を導入する企業が増えている。
また、蛍光灯からこの発光ダイオード照明灯への切り替えにより、ＣＯ２の発生量を大幅に削減できる。
【０００３】
図６は、従来の蛍光灯に代わる置換型の発光ダイオード照明灯の一例を示す斜視図である。
発光ダイオード照明灯１１は、直管形であり、発光ダイオード照明灯１１の透明もしくは不透明の管状カバー１２で、合成樹脂製パイプからなる。
この管状カバー１２の直径および長さ寸法は、一般に使用されている既存の直管形の蛍光灯（ＪＩＳＣ７６０１：蛍光ランプ）とは直径および長さ寸法と同じであり、この管状カバー１２の開口両端部にそれぞれ取り付けられている。口金１３にある２本のピン１４は、口金１３に絶縁材１５を介して取り付けられている。これら口金１３およびピン１４は、一般に使用されている既存の規格からなる直管形蛍光灯の口金および電極ピンと同じ形状、寸法である。
【０００４】
図７は、従来の図６の一部を切欠いた外観を示す斜視図である。
図７に示すように、基板１６は、前記管状カバー１２の内部に取り付けられている。白色発光ダイオード１７は、この棒状配線基板１６の片面に固定されている。白色反射シート１８は、配線基板１６の表面に配設されている。白色反射不透明シート１９は、この白色反射シート１８の反対側の不透明管状カバー１２の外表面に配設されている。
【０００５】
図８は、従来の図７に示すＥ−Ｅ線の断面図である。図８に示すように、管状カバー１２は円形の管に形成されており、基板１６は、管状カバー１２の軸心位置に取り付けられている。白色発光ダイオード１７は、この基板１６に対して直角方向に３個ずつの３列に配置されている。
【０００６】
【特許文献１】特開２００４−３３５４２６号公報（図１、図２、図７）
【発明の開示】
【発明が解決しようとする課題】
【０００７】
しかしながら、発光ダイオード照明灯１１は、全方位に光が発散する従来の蛍光灯と異なり、発光ダイオードの光の方向には指向性があるため、設置場所における照明方向の角度を最適な角度に調整しなければならないが、口金部が固定されており、容易に調整できる構造となっていないという問題があった。
また、発光ダイオード照明灯１１は、発光ダイオード（ＬＥＤ）の光源と管状カバーとの距離が近く、光の拡散が不十分な状態で放射されるために光が狭い範囲に集中し、その周囲が暗くなるという問題があった。
また、発光ダイオード照明灯１１は、発光ダイオード（ＬＥＤ）から発生する熱を放熱しなければならないが、管状カバー内の閉鎖空間が狭いため十分に放熱できないという問題があった。
また、他の放熱を解決する例としては、金属製の放熱板などを基板裏に装着して除熱手段としたものもあるが、質量が重くなるとともに、製造コストが嵩む問題があった。
さらに、発光ダイオード（ＬＥＤ）の光源が、管状カバーに近いため管状カバーの側面部に縞状模様が出て、事務所や会議室などに設置する場合には、違和感を生じるという問題があった。
【０００８】
そこで、本発明は、前記問題点に鑑みてなされたもので、発光ダイオード照明灯の設置場所における照明方向の角度を最適な角度に調整することができる発光ダイオード照明灯を提供する。また、発光ダイオード（ＬＥＤ）の光源と管状カバーとの距離を十分確保して、光の拡散が十分できる発光ダイオード照明灯を提供する。また、発光ダイオードの発熱を、放熱できる形状にした発光ダイオード照明灯を提供する。さらに、縞状の模様が出ないようにして事務所や会議室などに設置する場合でも、違和感を生じない発光ダイオード照明灯を提供することを課題とする。
【課題を解決するための手段】
【０００９】
請求項１に記載の発光ダイオード照明灯の発明は、直線状に配置された複数の発光ダイオード（１）と、前記直線状に配置された複数の発光ダイオード（１）が配置された基板（２）とからなるＬＥＤモジュール（３）と、前記ＬＥＤモジュール（３）を包囲する透光性管状カバー（４）と、前記透光性管状カバー（４）の両端開口部をそれぞれ閉鎖する管端閉鎖部材（５，５）と、からなる発光ダイオード照明灯（１０）において、前記管端閉鎖部材（５，５）は、凹部（６ａ）が形成され、当該凹部（６ａ）の内周面に複数の凹凸からなる雌型位置決め部（６ｂ）が形成された固定部材（６）と、前記固定部材（６）の雌型位置決め部（６ｂ）に係合する雄型位置決め部（７ｂ）を有し、外部器具のソケットへ接続する２本の電極ピン（７ｃ）が突設された端子部材（７）と、からなり、前記雌型位置決め部（６ｂ）の凹凸と前記雄型位置決め部（７ｂ）の凹凸を係合させて、前記電極ピン（７ｃ）の取り付け角度の位置を変えて位置決めすることを特徴とする。
【００１０】
請求項２に記載の発明は、請求項１に記載の発光ダイオード照明灯（１０）であって、前記雌型位置決め部（６ｂ）の凹凸および前記雄型位置決め部（７ｂ）の凹凸は、複数の山からなるセレーションから形成されていることを特徴とする。
【００１１】
請求項３に記載の発明は、請求項１または請求項２に記載の発光ダイオード照明灯（１０）であって、前記ＬＥＤモジュール（３）の位置は、前記透光性管状カバー（４）の軸心位置からずらして配置され、前記固定部材（６）の雌型位置決め部（６ｂ）の中心位置も、前記ＬＥＤモジュール（３）側に偏心させたことを特徴とする。
【００１２】
請求項４に記載の発明は、請求項１、請求項２、または請求項３に記載の発光ダイオード照明灯（１０）であって、前記ＬＥＤモジュール（３）の前記基板（２）に前記直線状に配置された複数の発光ダイオード（１）が複数列配置され、そのうち、少なくとも外側の列の発光ダイオード（１）が、前記透光性管状カバー（４）の軸心方向へ向かって内側へ傾けて配置されたことを特徴とする。
【発明の効果】
【００１３】
請求項１に係る発明によれば、管端閉鎖部材は、凹部が形成され、当該凹部の内周面に複数の凹凸からなる雌型位置決め部が形成された固定部材と、固定部材の雌型位置決め部に係合する雄型位置決部を有し、外部器具のソケットへ接続する２本の電極ピンが突設された端子部材と、からなり、雌型位置決め部の凹凸と前記雄型位置決め部の凹凸を係合させて、電極ピンの取り付け角度の位置を変えて位置決めすることにより、光の方向を任意の方向へ変えることができるため、指向性のある発光ダイオード照明灯であっても設置場所における照明の角度を最適な角度に調整することができる。
【００１４】
請求項２に係る発明によれば、雌型位置決め部の凹凸と雄型位置決め部の凹凸を、複数山のセレーションから形成したことにより、セレーションの合わせ山を変えることにより、発光ダイオード照明灯を任意の角度に取付けることができるとともに、両端の管端閉鎖部材に突設された２本の電極ピンの角度を同一角度位置として正確且つ容易に調整することができる。
【００１５】
請求項３に係る発明によれば、ＬＥＤモジュールの位置が透光性管状カバーの軸心位置からずらして配置したことにより、発光ダイオードと管状カバーとの距離を長くすることができるので、管状カバー内において光の拡散が十分になり、光が狭い範囲に集中せず、その周囲が暗くなるのを防止することができる。
また、固定部材の雌型位置決め部の中心位置も、ＬＥＤモジュール側に偏心させたことにより、照明方向側の円形部を比較的大径に形成しても、従来の蛍光灯の取付位置に合わせて容易に装着することができる。さらに、管状カバー内の閉鎖空間が広くなったことにより放熱ができる。
【００１６】
請求項４に係る発明によれば、基板に配置された前記発光ダイオードの列のうち、少なくとも外側の列の発光ダイオードが、透光性管状カバーの軸心方向へ向かって内側へ傾けて透光性管状カバーの側面から遠ざけることにより、ＬＥＤモジュールから照射される光が狭い範囲に集中せず、広い範囲の明るさを均等化することができるとともに、縞状の模様が出ないようにして事務所や会議室などに設置する場合でも、違和感を生じない発光ダイオード照明灯を提供することができる。
【発明を実施するための最良の形態】
【００１７】
本発明の実施の形態を図面に基づいて詳細に説明する。
図１は、本発明の発光ダイオード照明灯を示し、（ａ）は縦断面図、（ｂ）は（ａ）に示すＡ−Ａ線の断面図、（ｃ）は（ａ）に示すＢ−Ｂ線の断面図、（ｄ）は端子部材を取り外した後の固定部材を示すＣ矢視図である。
図１の（ａ）に示すように、本発明の発光ダイオード照明灯１０は、複数の発光ダイオード１，１…が基板２上に直線状に配置されており、複数の発光ダイオード１，１…と基板２とによって構成されるＬＥＤモジュール３と、このＬＥＤモジュール３を包囲する透光性管状カバー４と、透光性管状カバー４の両端開口部を閉鎖する管端閉鎖部材５，５と、から構成されている。
また、この両端開口部を閉鎖する管端閉鎖部材５，５は、固定部材６と端子部材７とから構成されている。
【００１８】
図５の（ａ）は、本発明の発光ダイオード照明灯の取付状態を示す断面図、（ｂ）は従来の蛍光灯のサイズにあわせた発光ダイオード照明灯の取付状態を示す断面図である。
図５の（ｂ）に示すように、例えば、一般的な蛍光灯の４０Ｗ形相当であれば、全長が１１９８ｍｍ、外径がφ３２．５ｍｍである。これを、外部器具２０である蛍光灯の照明器具に装着すると、壁面２０ａと発光ダイオード照明灯１１の外径までの寸法は、約１１ｍｍである。
図５の（ａ）に示すように、発光ダイオード照明灯１０のサイズ、すなわち透光性管状カバー（４）を、例えば、外径をφ４０ｍｍとして、外径を一回り大きくしたとしても、固定部材の雌型位置決め部の中心位置を、ＬＥＤモジュール３側に５ｍｍだけ偏心させることにより、壁面２０ａと発光ダイオード照明灯１１の外径のフラット面４ｄまでの寸法は、約１２ｍｍとなり、従来のものより離間させることができ、放熱に有利になっている。
また、ＬＥＤモジュール３の位置を、透光性管状カバー４の軸心位置からずらして配置し、図３に示すように、端子部材７の中心位置も、ＬＥＤモジュール３側に偏心させたことにより、外径をφ４０ｍｍの大径としても、外部器具（以下、蛍光灯照明器具という）へ支障がなく装着できる。さらに、透光性管状カバー４の上方となる面をフラット面４ｂとし、角部となる場所に丸みをつければ、より支障がなく装着できる。
【００１９】
＜発光ダイオード＞
複数の発光ダイオード１は、直線状に一列に配置されている。図４の（ａ）は直線状に配置された複数の発光ダイオード１が３列の場合を、図４の（ｂ）は２列の場合を示している。また、複数の発光ダイオード１は、基板２に配置されている。
発光ダイオード１は、照明用としては白色ＬＥＤが使用される。また、用途によっては青色、赤色等のＬＥＤが使用される。この発光ダイオード１は、４本足を有し、Fluxタイプと呼ばれている。このFluxタイプの発光ダイオード１の特徴は全長が短いため、透光性管状カバー４までの距離を確保するのに都合がよい。また、例えば、１５度中央に傾けるには、１５度の傾斜を設けたピース又はリードの長さを変えて基板に固定してもよいし、４本のリード端子を接続後に折り曲げても構わない。さらに、基板を所定の角度に折り曲げても構わない。なお、この発光ダイオード１は、上記Fluxタイプではなく、砲弾型タイプ、表面実装型タイプなどであってもよい。
【００２０】
＜基板＞
基板２は、図４の（ａ）に示すように、透光性管状カバー４の内周面の両側に設けられたそれぞれの第１凸部４ｂと第２凸部４ｃによって形成された支持溝４ａ，４ａに挿通され、挟持されている。基板２は長尺のプリント基板であり、全長は装着器具により任意に設定される。例えば４０Ｗ型蛍光灯と置換するものにおいては１１９８ｍｍ、２０Ｗ型蛍光灯と置換するものにおいては５８０ｍｍ近くになる。厚みは２ｍｍ〜５ｍｍであり、薄すぎると剛性強度が弱すぎ、厚すぎると重量が重くなりすぎる。さらに、に好ましくは２ｍｍ〜３ｍｍである。基板２の上面には３列配置、または、図４の（ｂ）に示すように、２列配置で数十から数百個の発光ダイオード１，１…が配置されている。また、図示しない位置には、両波整流器や抵抗器が配置されている。
【００２１】
＜ＬＥＤモジュール＞
ＬＥＤモジュール３は、基板２上に複数の発光ダイオード１，１…が直線状に配置され、組み付けられた構成をいう。格子状や千鳥状の配置も、直線状に見えれば、含まれる。
【００２２】
＜透光性管状カバー＞
透光性管状カバー４は、直管形であり、円形部の直径は一般的な蛍光灯よりも太く、例えば約φ４０ｍｍである。透光性管状カバー４の内周面の両側には、それぞれの第１凸部４ｂと第２凸部４ｃが形成され、この間にそれぞれ支持溝４ａ，４ａが形成されている。
具体的な形状の一例として、図１の（ｂ）に示すように、透光性管状カバー４の上半分はφ４０ｍｍの半円をしており、下部の両側面の傾斜角αが３０度の面で形成されている。下部はフラット面４ｂが形成されており、このフラット面４ｂと３０度の面とは１０Ｒでなめらかに結ばれている。
図１の（ｂ）〜（ｄ）に示すように、透光性管状カバー４の外周形状は上下方向を反転すると、ちょうど、しずく形（図５の（ａ）参照）をしている。
材質は、アクリル樹脂、または、ポリカーボネート樹脂から形成されている。アクリル樹脂の特徴は、光透過性と、耐候性と、電気絶縁性が高い。また、ポリカーボネート樹脂の特徴は、割れ難く、燃え難く、安全性が高い。
なお、ポリカーボネート樹脂は、傷が付きやすく、加工しにくく、また、コストが高いため、どちらかと言えば、アクリル樹脂の方が好適である。
透光性管状カバー４のカバー色は、一般照明用では乳白色、昼光色が好ましいが、無色透明であってもよい。なお、乳白色の濃度を高めるほど光の拡散効果を得ることができるが、光の透過率が低下するため、乳白色の濃度は使用目的や条件によって適宜調整することが望ましい。また、光の拡散を図るため、無色透明管の表面に凹凸模様を付すことや管内に光拡散効果のあるシートを挿入し固定しても構わない。
【００２３】
＜管端閉鎖部材＞
前記透光性管状カバー４の両端部を閉鎖する管端閉鎖部材５，５は、固定部材６と端子部材７とから構成されている。管端閉鎖部材５，５の材質は、アクリル等の合成樹脂、ゴム等の可撓性材料、または、アルミニウム等の金属材料が適宜使用可能であるが、金属等の導電性材料は、電力供給系統と接続する２本のピンの絶縁を図る必要がある。また、可撓性材料の場合には、従来の直管形蛍光灯器具への取り付けは容易であるが、一定の剛性も必要になることから、アクリル樹脂が好適である。
＜固定部材＞
固定部材６は、透光性管状カバー４の両端部を閉鎖し、端子部材７を固定させるための部材である。図１の（ｄ）に示すように、固定部材６は、凹部６ａの窪みが設けられ、その内周面には雌型位置決め部６ｂが形成されている。また、この凹部６ａの位置は、透光性管状カバー４の中心から下方に偏心させている。
【００２４】
＜端子部材＞
図２は端子部材を示し、（ａ）は左側面図、（ｂ）断面図、（ｃ）は右側面図である。
端子部材７は、透光性管状カバー４の両端部を閉鎖する固定部材に固定され、２本の電極ピン７ｃの姿勢（取り付け角度の位置）を変えるための部材である。管端閉鎖部材５を構成するもう一つの端子部材７は、図１の（ａ）と図２の（ａ）〜（ｃ）に示すように、先端部には雄型位置決め部７ｂが形成され、前記した固定部材６の雌型位置決め部６ｂに係合可能になっている。また、端子部材７は、図１の（ａ）に示すように、凹部７ａの窪みが形成されており、この窪みの空間は、端子部材７を取り外す場合、延長した電線７ｄを格納するスペースとなっている。
また、雌型位置決め部６ｂの形状は、凹凸を形成した２４山からなるセレーションから形成されている。なお、セレーションの形状を変更し、例えば、セレーションの山の頂部と谷底のフラット部を無しにした単純な、類似の形成にしてもよい。さらに、異種形状の山形や花形、インボリュート曲線、サイクロイド曲線等の歯車の刻みやその他の雄型と雌型が係合可能な凹凸形状であれば、その他の形状であっても構わない。
なお、雌型位置決め部６ｂの凹凸を２４山にすることにより、後記する端子部材７の取り付け位置を一山（一枚）当たりの角度を１５度に設定することができる。
【００２５】
図１の（ｄ）に示すように、固定部材６の端面を時計に見立てれば、固定部材６の端面には１２時が０、１時がＢ、２時がＤ、３時がＦとするＡ，Ｂ，Ｃ，Ｄ，Ｅ，Ｆの文字が１５度ごとに印字されている。
同様に、９時が−Ｆ、１０時が−Ｄ、１１時が−Ｂとし、−Ａ，−Ｂ，−Ｃ，−Ｄ，−Ｅ，−Ｆが−１５度ごとに印字されている。これらの文字の表示は、その他の文字や記号であっても構わない。
なお、発光ダイオード１への電力供給方式には、一方の管端閉鎖部材５側からのみの供給方式や両端の管端閉鎖部材５側からの供給方式があり、一方の管端閉鎖部材５側からのみの供給方式の場合などでは、必ずしも凹部７ａの窪みを設ける必要はない。
【００２６】
＜電極ピン＞
電極ピン７ｃは、一般に使用されている既存の規格からなる蛍光灯の照明器具の取付部の口金に合わせて、蛍光灯の電極ピンと同じ形状、寸法である。図１（ａ）に示すように、２本の電極ピン７ｃの後端部には、それぞれの電線７ｄがハンダ付けされ、基板と接続されている。この電線７ｄは、端子部材７の出し入れの際に支障がないように、予め長めの電線が格納されており、凹部６ａと凹部７ａとが形成する空間は、この電線を格納するスペースとなっている。
【００２７】
図３は、図１の（ａ）に示すＣ矢視図である。図３に示すように、端子部材７は、固定部材６にビス６ｃによって固定されている。
また、図４は、図１の（ａ）に示すＤ−Ｄ線の断面図であり、（ａ）は３列配置、（ｂ）は２列配置を示す断面図である。
図４の（ａ）に示すように、３列配置の場合である。ＬＥＤモジュール３の基板２に発光ダイオード１が３列で配置され、基板２に配置された発光ダイオード１の３列のうち、外側の２列が透光性管状カバー４の軸心方向へ向かって内側へ傾けている。この傾き角度θは、ここでは１５度としているが、傾き角度θは、１０〜２５度の範囲内であれば何度であってもよい。
傾き角度θが１０度よりも小さいと、光拡散ムラを緩和する効果が得られない。また、傾き角度θが２５度よりも大きいと、よけいに光拡散ムラを惹起する。
図４の（ｂ）は、２列配置の場合である。ＬＥＤモジュール３の基板２に発光ダイオード１が２列で配置され、この傾き角度θは、前記同様、ここでは１５度としているが、傾き角度θは、１０〜２５度であってもよい。
【００２８】
ここで、固定部材６と端子部材７から構成された管端閉鎖部材５による照明方向の設定作業の手順について説明する。なお、壁面に固定した場合を想定する。
＜第１ステップ＞
左右とも、固定部材６に固定された端子部材７のビス６ｃを緩め、固定部材６から端子部材７を取り外す。
＜第２ステップ＞
照明方向を右回転で４５度の方向へ回動させる場合、
右側の端子部材７は、例えば、一歯（１枚）が１５度に相当するから、０から−Ａ，−Ｂ，−Ｃと３つ目の−Ｃ目盛りに合わせて挿入し、ビス６ｃを締めて固定する。
左側の端子部材７は、同様に、０からＡ，Ｂ，Ｃと３つ目のＣ目盛りに合わせて挿入し、ビス６ｃを締めて固定する。
＜第３ステップ＞
蛍光灯取付器具の口金の両端に電極ピン７ｃを挿通し、セットする。
これにより、壁面と直角方向に対して４５度下方方向へ向けた照明ができる。
【００２９】
なお、本発明はこれらの実施形態のみに限定されるものではなく、本発明の技術的思想に基づく限りにおいて、適宜に変更することが可能である。
たとえば、透光性管状カバー４の直径方向の縦断面形状を、ＬＥＤモジュール３側を縮小し、光の照射方向側が馬蹄形の円弧状に形成しても構わない。また、両波整流器や抵抗器の配置以外にも、ＡＣ／ＤＣアダプターによる電力の供給や周波数変換回路など必要により適宜の部材を配置しても構わない。
また、雌型位置決め部６ｂの凹凸の山数は、２４山に限定するものではなく、それ以外の山数であっても構わない。
【図面の簡単な説明】
【００３０】
【図１】本発明の発光ダイオード照明灯を示し、（ａ）は縦断面図、（ｂ）は（ａ）に示すＡ−Ａ線の断面図、（ｃ）は（ａ）に示すＢ−Ｂ線の断面図、（ｄ）は端子部材を取り外した後のＣ矢視図である。
【図２】端子部材を示し、（ａ）は左側面図、（ｂ）断面図、（ｃ）は右側面図である。
【図３】図３は、図１の（ａ）に示すＣ矢視図である。
【図４】図１の（ａ）に示す、Ｄ−Ｄ線の断面図であり、（ａ）は２列配置、（ｂ）は３列配置を示す断面図である。
【図５】（ａ）は本発明の発光ダイオード照明灯の取付状態を示す断面図である。  （ｂ）は従来の蛍光灯のサイズにあわせた発光ダイオード照明灯の取付状態を示す断面図である。
【図６】従来の外観を示す斜視図である。
【図７】従来の図６の一部を切欠いた外観を示す斜視図である。
【図８】従来の図７に示すＥ−Ｅ線の断面図である。
【符号の説明】
【００３１】
１    発光ダイオード
２    基板
３    ＬＥＤモジュール
４    透光性管状カバー
４ａ  支持溝
４ｂ  第１凸部
４ｃ  第２凸部
４ｄ  フラット面
５    管端閉鎖部材
６    固定部材
６ａ  凹部
６ｂ  雌型位置決め部
６ｃ  ビス
７    端子部材
７ａ  凹部
７ｂ  凸部位置決部
７ｃ  電極ピン
７ｄ  電線
１０  発光ダイオード照明灯
【図１】
2010135131.tif 000003
【図２】
2010135131.tif 000004
【図３】
2010135131.tif 000005
【図４】
2010135131.tif 000006
【図５】
2010135131.tif 000007
【図６】
2010135131.tif 000008
【図７】
2010135131.tif 000009
【図８】
2010135131.tif 000010